(57)【要約】【課題】一隻の漁船により少人数で魚群を包囲して漁獲することのできる新たな漁法であるまき寄せ網漁法および該方法に用いる漁撈具を提供する。【解決手段】袋網からなる捕獲部２と、この捕獲部２の開口端に接続された環まき可能な魚追込部３とを有するまき寄せ網１を、漁船２１の船尾側で寄せ漕ぎすることによって捕獲部２に捕獲対象魚を捕獲し、その後漁船２１の船尾側に配設されているボールローラ２４，２５によって魚追込部３の揚網および環まきを行い、その後捕獲部２の揚網を行う。まき寄せ網１の魚追込部の浮子側縁部には浮子側曳綱７Ｌ，７Ｒを、沈子側縁部には沈子側曳綱１０を挿通可能な多数のリング９を整列配置する。【選択図】      図６
2004298128.tif 000002
【特許請求の範囲】
【請求項１】
袋網からなる捕獲部と、この捕獲部の開口端に接続された環まき可能な魚追込部とを有するまき寄せ網を、漁船の船尾側で寄せ漕ぎすることによって前記捕獲部に捕獲対象魚を捕獲し、その後漁船の船尾側に配設されているボールローラによって前記魚追込部の揚網および環まきを行い、その後前記捕獲部の揚網を行うことを特徴とするまき寄せ網漁法。
【請求項２】
袋網からなる捕獲部と、一対の袖網からなる魚追込部とを有し、前記各袖網は、それぞれほぼ帯状に形成されているとともに、その長手方向の一端が前記捕獲部の開口端にそれぞれ接続されており、かつ、長手方向に対して直交する幅方向の一端は浮子が取着される浮子側とされ、他端は沈子が取着される沈子側とされており、さらに、浮子側縁部には浮子側曳綱が取着可能とされており、沈子側縁部には前記魚追込部の沈子側縁部をしぼる環まきを行うためのパースラインを兼ねた沈子側曳綱を挿通可能な多数のリングが整列配置されているまき寄せ網と、
漁船の船尾に配設され前記まき寄せ網の環まきおよび揚網に用いるボールローラとを有していることを特徴とするまき寄せ網漁法に用いる漁撈具。
【発明の詳細な説明】
【０００１】
【発明の属する技術分野】
本発明は、一隻の漁船により少人数で魚群を包囲して漁獲することのできる新たな漁法であるまき寄せ網漁法および該方法に用いる漁撈具に関する。
【０００２】
【従来の技術】
一般に、漁船を利用した漁法の一種としてまき網漁法が知られている。このまき網漁法は、網船によって魚群を包囲するように網をほぼ環状に設置し、その後環網裾を締める環まきを行って下方から捕獲対象魚が脱出するのを防止した後、網を狭めて漁獲するようにされている。
【０００３】
【発明が解決しようとする課題】
ところで、近年の沿岸漁業においては、組員の確保、後継者の育成を容易に行うためなどの理由により、一隻の漁船により少人数で容易に操業することのできる漁法が求められている。
【０００４】
しかしながら、従来のまき網漁法においては、環まき時に漁船の船体が舷側に位置する網内に引き寄せられるのを防止するための裏漕ぎ船などの複数の船が必要であり、一隻の漁船により少人数で容易に操業することができないという問題点があった。
【０００５】
そこで、魚群を包囲して漁獲するのを一隻の漁船により少人数で可能とする新たな漁法が求められている。
【０００６】
本発明はこのような問題点に鑑みてなされたもので、一隻の漁船により少人数で魚群を包囲して漁獲することのできる新たな漁法であるまき寄せ網漁法および該方法に用いる漁撈具を提供することを目的とする。
【０００７】
【課題を解決するための手段】
前述した目的を達成するため特許請求の範囲の請求項１に係る本発明のまき寄せ網漁法の特徴は、袋網からなる捕獲部と、この捕獲部の開口端に接続された環まき可能な魚追込部とを有するまき寄せ網を、漁船の船尾側で寄せ漕ぎすることによって前記捕獲部に捕獲対象魚を捕獲し、その後漁船の船尾側に配設されているボールローラによって前記魚追込部の揚網および環まきを行い、その後前記捕獲部の揚網を行う点にある。そして、このような構成を採用したことにより、漁船の船尾側で寄せ漕ぎ、環まきおよび揚網を実施することができるので、一隻の漁船により少人数で寄せ漕ぎを行うとともに魚群を包囲して漁獲することができる。
【０００８】
また、請求項２に係る本発明のまき寄せ網漁法に用いる漁撈具の特徴は、袋網からなる捕獲部と、一対の袖網からなる魚追込部とを有し、前記各袖網は、それぞれほぼ帯状に形成されているとともに、その長手方向の一端が前記捕獲部の開口端にそれぞれ接続されており、かつ、長手方向に対して直交する幅方向の一端は浮子が取着される浮子側とされ、他端は沈子が取着される沈子側とされており、さらに、浮子側縁部には浮子側曳綱が取着可能とされており、沈子側縁部には前記魚追込部の沈子側縁部をしぼる環まきを行うためのパースラインを兼ねた沈子側曳綱を挿通可能な多数のリングが整列配置されているまき寄せ網と、漁船の船尾に配設され前記まき寄せ網の環まきおよび揚網に用いるボールローラとを有している点にある。そして、このような構成を採用したことにより、まき寄せ網は環まきを可能とし、ボールローラは、小型化が容易であり、しかも船体に対する網の出入りの方向を選ばず、さらに環まきおよび揚網時の状況あるいは船のローリングなどに応じて網に対する角度を調整する必要もないので、操業時に漁船の船体の船尾側での環まきおよび揚網を容易に実施することができる。したがって、袋網からなる捕獲部と、この捕獲部の開口端に接続された環まき可能な魚追込部とを有するまき寄せ網を、漁船の船尾側で寄せ漕ぎすることによって前記捕獲部に捕獲対象魚を捕獲し、その後漁船の船尾側に配設されているボールローラによって前記魚追込部の揚網および環まきを行い、その後前記捕獲部の揚網を行うまき寄せ網漁法を容易に実施することができる。
【０００９】
【発明の実施の形態】
以下、本発明を図面に示す実施形態により説明する。
【００１０】
まず、本発明に係るまき寄せ漁法に用いる漁撈具の一つであるまき寄せ網の実施形態について図１により説明する。
【００１１】
図１は、本発明に係るまき寄せ漁法に用いるまき寄せ網の実施形態の要部を示す展開図である。
【００１２】
図１に示すように、本実施形態のまき寄せ網１は、袋網からなる捕獲部２と、左右一対の袖網３Ｌ，３Ｒからなる魚追込部３とを有している。
【００１３】
前記袋網からなる捕獲部２は、図１の下方に分離して左右方向に並べ示す６分割された底部４ａ，４ｂ，４ｃ，４ｄ，４ｅ，４ｆと、６分割された胴部５ａ，５ｂ，５ｃ，５ｄ，５ｅ，５ｆとの総計１２枚の部材を接ぐことにより形成されている。
【００１４】
前記魚追込部３を構成する一対の袖網３Ｌ，３Ｒは、図１の上下方向に長いほぼ帯状に形成されている。そして、図１の左側に示す一方の袖網３Ｒの図１の上下方向に示す長手方向の一端である下端部は、前記捕獲部２の開口端の一部を構成する図１の左側から２番目および３番目に位置する胴部５ｂ，５ｃの上端縁部に接続されている。さらに、図１の左側に示す他方の袖網３Ｌの図１の上下方向に示す長手方向の一端である下端部は、前記捕獲部２の開口端の一部を構成する図１の右側から２番目および３番目に位置する胴部５ｄ，５ｅの上端縁部に接続されている。また、各袖網３Ｌ，３Ｒの長手方向に対して直交する図１の左右方向に示す幅方向のサイズは、捕獲部２との接続側が広く形成されている。
【００１５】
図１の左方に示す袖網３Ｒは、長手方向に対して直交する幅方向の一端である左側が浮子側ＦＳとされ、右側が沈子側ＷＳとされている。また、図１の右方に示す袖網３Ｌは、長手方向に対して直交する幅方向の一端である左側が沈子側ＷＳとされ、右側が浮子側ＦＳとされている。
【００１６】
前記各袖網３Ｌ，３Ｒの浮子側縁部には、所定数の浮子（一部のみ図示）６が間隔をおいて取着されている。さらに、浮子側縁部の図１上方に示す先端部には、浮子側曳綱７Ｌ，７Ｒの一端部がそれぞれ連結されるようになっている。また、各袖網３Ｌ，３Ｒの沈子側縁部には、所定数の沈子（一部のみ図示）８が間隔をおいて取着されているいる。またさらに、沈子側縁部の長手方向のほぼ中央部から捕獲部２側には、例えば５０個程度のリング（一部のみ図示）９が間隔をおいて取着されている。なお、沈子８としては、従来公知の各種のものから選択使用することができる。
【００１７】
前記各袖網３Ｌ，３Ｒ部に取着されたリング９には、魚追込部３の沈子側縁部をしぼる環まきを行うためのパースライン（パースワイヤ）を兼ねた１本の沈子側曳綱１０の中央部分が挿通されるようになっている。この沈子側曳綱１０の一端は、図１の左方に示す袖網３Ｒに取着される浮子側曳綱（右舷用浮子側曳綱）７Ｒに連結されるようになっており、他端は、図１の右方に示す袖網３Ｌに取着される浮子側曳綱（左舷用浮子側曳綱）７Ｌに連結されるようになっている。また、各袖網３Ｒ，３Ｌの沈子側縁部の下端部分と捕獲部２の開口端とにより構成される逆台形状空間には、鉛網１１が配置されている。
【００１８】
なお、各袖網３Ｒ，３Ｌの目合いは、先端側の目合いが粗く、捕獲部２に近づくにつれて目合いが細かくなるように多段に形成されている。これにより、後述するまき寄せ網１の寄せ漕ぎ時において、捕獲部２を中心として各袖網３Ｒ，３Ｌを自動的に拡網することができるようになっている。
【００１９】
つぎに、本発明に係るまき寄せ漁法に用いる漁船の実施形態について図２により説明する。
【００２０】
図２は、本発明に係るまき寄せ漁法に用いる漁船の実施形態の要部を示す平面図である。
【００２１】
本実施形態の漁船２１は、沿岸漁業に用いる５トン程度の小型漁船が用いられており、図１に示すように、漁船２１の船体の中央部分から船尾側にかけてブリッジ２２が設けられている。そして、船尾側の甲板（漁労甲板）２３上には、本発明に係るまき寄せ漁法に用いる漁撈具の他の一つとしての左右一対のボールローラ２４，２５が設置されている。これらのボールローラ２４，２５は、甲板２３上に立設されたほぼ逆Ｌ字状の支持部材２６，２７によって甲板２３の上方空間に配置されている。そして、船尾側の甲板２３には、前記まき寄せ網１が搭載されている。また、左右両舷側の船尾側には、大手用ボラード２８，２９が設置されている。
【００２２】
つぎに、前述した構成からなる本実施形態の作用について本発明のまき寄せ網漁法とともに図２から図７により説明する。
【００２３】
図２は本発明に係るまき寄せ漁法の実施形態における投網準備状態の要部を漁船および漁撈具とともに示しており、図３は図２に続く投網開始状態を示す図２と同様の図、図４は図３に続く投網終了状態を示す図２と同様の図、図５は図４に続く寄せ漕ぎ状態を示す図２と同様の図、図６は図５に続くまき寄せ網の魚追込部の環まき途中状態を示す図２と同様の図、図７は図６に続くまき寄せ網の捕獲部の揚網途中状態を示す図２と同様の図である。
【００２４】
本実施形態のまき寄せ網漁法の操業は、図２に示す投網準備状態において、一方の浮子側曳綱（右舷用浮子側曳綱）７Ｒの他端である自由端を右舷側の大手用ボラード２８に固縛する。また、他方の浮子側曳綱（左舷用浮子側曳綱）７Ｌの他端である自由端に抵抗体３１および浮標３２を取り付ける。そして、漁場にて捕獲対象魚の魚群を発見したら、魚群に向けて漁船１を操船し、魚群に漁船１をちかづけて本実施形態のまき寄せ網漁法による操業を開始する。
【００２５】
本実施形態のまき寄せ網漁法の操業は、抵抗体３１および浮標３２を漁船２１の船尾から海面に投下することにより開始する。そして、抵抗体３１および浮標３２を海面に投下すると、抵抗体３１および浮標３２に接続された浮子側曳綱７Ｌとともに、この浮子側曳綱７Ｌに接続されているまき寄せ網１の袖網３Ｌが甲板２３から海面に向かって繰り出される。この投網開始状態を図３に示す。
【００２６】
ついで、魚群の周りを囲うように漁船２１を操船し、まき寄せ網１を海面に繰り出した後、漁船２１を抵抗体３１にちかづけて投網を終了する。この投網終了状態を図４に示す。なお、海面に繰り出されたまき寄せ網１は、各袖網３Ｒ，３Ｌの浮子側縁部が浮子６の浮力によって海面側に位置し、沈子側縁部が沈子８の重さによって海底側に位置することになる。
【００２７】
そして、まき寄せ網１の投網が終了したら、抵抗体３１および浮標３２を漁船２１の船体中央部の左舷側で取り込む。この時、浮子側曳綱７Ｌの自由端を左舷側の大手用ボラード２９に掛けておく。その後、抵抗体３１および浮標３２を取り込んだ後、抵抗体３１および浮標３２を浮子側曳綱７Ｌから外し、浮子側曳綱７Ｌの自由端を左舷側の大手用ボラード２９に固縛する。
【００２８】
ついで、漁船２１を前進させ、まき寄せ網１の寄せ漕ぎを開始する。このまき寄せ網１の寄せ漕ぎにより、魚追込部３が捕獲部２を中心として拡網する。これにより、魚群を、拡がった袖網３Ｒ，３Ｌによって捕獲部２に追い込むころができるので、捕獲対象魚を効率よく捕獲することができる。このまき寄せ網１の寄せ漕ぎ状態を図５に示す。
【００２９】
ついで、寄せ漕ぎが終了したら、各浮子側曳綱７Ｌ，７Ｒをボールローラ２４，２５を用いて巻き上げることにより甲板２３に取り込み、続いてこれに連なる魚追込部３をボールローラ２４，２５を用いて揚網する。この時、魚追込部３をパースラインの固縛位置まで揚網した後、沈子側曳綱１０をボールローラ２４，２５を用いて巻き上げることで、魚追込部３の環まきを行う。このまき寄せ網１の魚追込部３の環まき途中状態を図６に示す。
【００３０】
ついで、魚追込部３の環まきが終了したら魚追込部３の揚網およびこれに連なる捕獲部２の揚網をボールローラ２４，２５を用いて行う。このまき寄せ網１の捕獲部２の揚網途中状態を図７に示す。
【００３１】
ついで、捕獲部２の揚網が終了したら、甲板２３に取り込ん捕獲部２から漁獲物を取り出し、つぎの漁に支障がないようにまき寄せ網１を整理整頓する。
【００３２】
なお、本実施形態のまき寄せ網漁法は、一隻の漁船２１で実行することができるとともに、操業に要する人員が３名であることが、操業試験により確認できた。
【００３３】
このように、本実施形態のまき寄せ網漁法によれば、漁船２１の船尾側で寄せ漕ぎ、環まきおよび揚網を容易に実施することができるので、一隻の漁船２１により少人数で寄せ漕ぎを行うとともに魚群を包囲して漁獲するという新規な漁法を実施することができる。
【００３４】
また、本実施形態のまき寄せ網漁法に用いる漁撈具によれば、まき寄せ網１は環まきを可能とし、ボールローラ２４，２５は、小型化が容易であり、しかも船体に対する網および綱の出入りの方向を選ばず、さらに環まきおよび揚網時の状況あるいは船のローリングなどに応じて網に対する角度を調整する必要もないので、操業時に漁船２１の船体の船尾側での環まきおよび揚網を容易に実施することができる。その結果、本実施形態のまき寄せ網漁法を容易に実施することができる。
【００３５】
なお、本発明は、前記実施形態に限定されるものではなく、必要に応じて種々変更することができる。
【００３６】
【発明の効果】
以上説明したように請求項１に係る本発明のまき寄せ網漁法によれば、漁船の船尾側で寄せ漕ぎ、環まきおよび揚網を実施することができるので、一隻の漁船により少人数で寄せ漕ぎを行うとともに魚群を包囲して漁獲することができるなどの極めて優れた効果を奏する。
【００３７】
また、請求項２に係る本発明のまき寄せ網漁法に用いる漁撈具によれば、まき寄せ網は環まきを可能とし、ボールローラは操業時に漁船の船体の船尾側での環まきおよび揚網を容易に実施することができるので、請求項１に係る本発明のまき寄せ網漁法を容易に実施することができるなどの極めて優れた効果を奏する。
【図面の簡単な説明】
【図１】本発明に係るまき寄せ漁法に用いるまき寄せ網の実施形態の要部を示す展開図
【図２】本発明に係るまき寄せ漁法の実施形態における投網準備状態の要部を漁船および漁撈具とともに示す平面図
【図３】本発明に係るまき寄せ漁法の実施形態における図２に続く投網開始状態を示す図２と同様の図
【図４】本発明に係るまき寄せ漁法の実施形態における図３に続く投網終了状態を示す図２と同様の図
【図５】本発明に係るまき寄せ漁法の実施形態における図４に続く寄せ漕ぎ状態を示す図２と同様の図
【図６】本発明に係るまき寄せ漁法の実施形態における図５に続くまき寄せ網の魚追込部の環まき途中状態を示す図２と同様の図
【図７】本発明に係るまき寄せ漁法の実施形態における図６に続くまき寄せ網の捕獲部の揚網途中状態を示す図２と同様の図
【符号の説明】
１  まき寄せ網
２  捕獲部
３  魚追込網部
６  浮子
７Ｌ、７Ｒ  浮子側曳綱
８  沈子
９  リング
１０  沈子側曳綱
２１  漁船
２４、２５  ボールローラ
ＦＳ  浮子側
ＷＳ  沈子側
【図１】
2004298128.tif 000003
【図２】
2004298128.tif 000004
【図３】
2004298128.tif 000005
【図４】
2004298128.tif 000006
【図５】
2004298128.tif 000007
【図６】
2004298128.tif 000008
【図７】
2004298128.tif 000009